(57)【要約】      （修正有）【課題】水素機の交流電及び直流電の変換回路を提供する。【解決手段】ロジック制御ユニット１０と、第一電極シート１１と、第二電極シート１２と、第三電極シート１３と、直流回路１４と、交流回路１５とを備える。第三電極シートは第一電極シートと第二電極シートとの間に設置される。ロジック制御ユニットはモード切替制御信号及び複数の交流電制御信号を発生させる。直流回路は第一電源供給ユニット１４０及び第一モード切替スイッチ１４１を含む。第一モード切替スイッチは第一電極シート及び第二電極シートに電気的に接続される。交流回路は第二電源供給ユニット１５０及び複数の入力端を備える。複数の入力端により複数の交流電制御信号が受信され、第一電源供給ユニット及び第二電源供給ユニットは陽電端及び陰電端をそれぞれ含む。第三電極シートは第一電源供給ユニットの陽電端または陰電端に電気的に接続される。【選択図】図１
0003205898.tif 000002
【実用新案登録請求の範囲】
【請求項１】
モード切替制御信号及び複数の交流電制御信号を発生させるロジック制御ユニットと、第一電極シートと、第二電極シートと、前記第一電極シートと前記第二電極シートとの間に設置される第三電極シートと、直流回路と、交流回路とを備え、
前記直流回路は、第一電源供給ユニットと、前記第一電極シート及び前記第二電極シートに電気的に接続される第一モード切替スイッチとを更に備え、
前記交流回路は、第二電源供給ユニットと、前記複数の交流電制御信号を受信させる複数の入力端とを更に含み、
前記第一電源供給ユニット及び前記第二電源供給ユニットは陽電端及び陰電端をそれぞれ備え、
前記第三電極シートは前記第一電源供給ユニットの前記陽電端または前記陰電端に電気的に接続され、
前記第一モード切替スイッチは前記モード切替制御信号及び前記複数の交流電制御信号に基づいて前記第一電源供給ユニット或いは前記第二電源供給ユニットの前記陽電端または前記陰電端に電気的に接続されることを特徴とする、
水素機の交流電及び直流電の変換回路。
【請求項２】
前記交流電制御信号はパルス幅変調信号を含むことを特徴とする、請求項１に記載の水素機の交流電及び直流電の変換回路。
【請求項３】
前記交流回路はフルブリッジ回路を含むことを特徴とする、請求項１に記載の水素機の交流電及び直流電の変換回路。
【請求項４】
前記直流回路は、前記第三電極シートと前記第一電源供給ユニットとの間に電気的に接続され、且つ前記モード切替制御信号及び前記複数の交流電制御信号に基づいて前記第一電源供給ユニット或いは前記第二電源供給ユニットの前記陽電端または前記陰電端に電気的に接続される第二モード切替スイッチを更に備えことを特徴とする、請求項１に記載の水素機の交流電及び直流電の変換回路。
【請求項５】
前記直流回路は、前記第一電源供給ユニット、前記第一モード切替スイッチ及び前記第二モード切替スイッチの間に設置される第一極性切替スイッチを更に備え、前記第一モード切替スイッチ及び前記第二モード切替スイッチは前記モード切替制御信号及び前記複数の交流電制御信号に基づいて前記第一極性切替スイッチに電気的に接続されるか、或いは前記第二電源供給ユニットの前記陽電端または前記陰電端に電気的に接続され、前記第一極性切替スイッチは前記ロジック制御ユニットが発生させる第一極性切替制御信号に基づいて前記第一電源供給ユニットの前記陽電端または前記陰電端に電気的に接続されることを特徴とする、請求項４に記載の水素機の交流電及び直流電の変換回路。
【請求項６】
前記直流回路は、前記第二電源供給ユニットと前記第二モード切替スイッチとの間に設置される第一極性切替スイッチを更に備え、前記第二モード切替スイッチは前記モード切替制御信号及び前記複数の交流電制御信号に基づいて前記第一電源供給ユニットの前記陽電端または前記陰電端に電気的に接続され、或いは前記第一極性切替スイッチに電気的に接続され、前記第一極性切替スイッチは前記ロジック制御ユニットが発生させる第一極性切替制御信号に基づいて前記第二電源供給ユニットの前記陽電端または前記陰電端に電気的に接続されることを特徴とする、請求項４に記載の水素機の交流電及び直流電の変換回路。
【請求項７】
前記直流回路は、前記第二電源供給ユニットと前記第二モード切替スイッチとの間に設置される第二極性切替スイッチを更に備え、前記第二モード切替スイッチは前記モード切替制御信号及び前記複数の交流電制御信号に基づいて前記第一極性切替スイッチまたは前記第二極性切替スイッチに電気的に接続され、前記第二極性切替スイッチは前記ロジック制御ユニットが発生させる第二極性切替制御信号に基づいて前記第二電源供給ユニットの前記陽電端または前記陰電端に電気的に接続されることを特徴とする、請求項５に記載の水素機の交流電及び直流電の変換回路。
【考案の詳細な説明】
【技術分野】
【０００１】
本考案は、水素機の交流電及び直流電の変換回路に関する。
【背景技術】
【０００２】
現代人は生活が忙しく、情緒が不安定になりがちである。このため、多くの人が積極的にリラックス方法や心身の向上方法を追い求めている。水素機を利用して水分子を分解させた後に水素及び酸素を発生させ、使用者が吸入する方法が近年広く運用されている。
【考案の概要】
【考案が解決しようとする課題】
【０００３】
前述した従来の水素機では、電極ケースに２枚の電極シートが内設されて本体の直流電源の陽極及び陰極に電気的に接続される。水素機の作動原理は、陽電極性及び陰電極性を帯びる電極シートが水中に入れられ、水が分解されて陽電性を帯びる水素イオン及び陰電性を帯びる水酸化物イオンが発生する。
しかしながら、分解過程において、水素イオンが陽電性を帯び、水酸化物イオンが陰電性を帯びるため、発生する水素イオン及び水酸化物イオンは陰極性の電極シート及び陽極性の電極シートの周囲にそれぞれ蓄積され、且つ水素イオン及び電子が結合されて活性水素となる。活性水素は不安定であるために、２つの活性水素が結合されて水素が形成され、水酸化物イオンの電子が失われて酸素が形成される。
【０００４】
さらに、電極シートの極性は固定で不変であり、電極シート及び水中の鉱物質は分解時の化学変化により表面に特定の沈殿物質が発生し、２枚の電極シートの陽極性及び陰極性が異なるため、陽極性の電極シート及び陰極性の電極シートが発生させる沈殿物の属性にも差異が生じ、ひいては属性が反対の物質になる。このため、長期に亘り沈殿物が電極シートの表面に蓄積されて取り除けなくなると、電極シートにショートが発生し、電極シートの寿命が縮まるため、使用者が電極シートを洗浄する時間が増えた。
【０００５】
そこで、本考案者は上記の欠点が改善可能と考え、鋭意検討を重ねた結果、合理的設計で上記の課題を効果的に改善する本考案の提案に到った。
【０００６】
本考案は、以上の従来技術の課題を解決する為になされたものである。即ち、本考案は、水素機の交流電及び直流電の変換回路を提供することを主目的とする。
【課題を解決するための手段】
【０００７】
上述した課題を解決し、目的を達成するための本考案に係る水素機の交流電及び直流電の変換回路は、ロジック制御ユニットと、第一電極シートと、第二電極シートと、第三電極シートと、直流回路と、交流回路とを備える。第三電極シートは第一電極シートと第二電極シートとの間に設置される。ロジック制御ユニットはモード切替制御信号及び複数の交流電制御信号を発生させる。直流回路は第一電源供給ユニット及び第一モード切替スイッチを含む。第一モード切替スイッチは第一電極シート及び第二電極シートに電気的に接続される。交流回路は第二電源供給ユニット及び複数の入力端を備える。複数の入力端により複数の交流電制御信号が受信され、第一電源供給ユニット及び第二電源供給ユニットは陽電端及び陰電端をそれぞれ含む。第三電極シートは第一電源供給ユニットの陽電端または陰電端に電気的に接続され、第一モード切替スイッチはモード切替制御信号及び複数の交流電制御信号に基づいて第一電源供給ユニット或いは第二電源供給ユニットの陽電端または陰電端に電気的に接続される。
【考案の効果】
【０００８】
上述したように、本考案に係る水素機の交流電及び直流電の変換回路は、直流電及び交流電の変換モード及び電極の極性切替モードを有し、使用者は需要に合わせて２種類のモードを別々に操作させるか、２種類のモードを交互に運用できる。これにより、本考案は電極シートに発生する鉱物質及び垢の成長が鈍化し、使用者が電極シートを洗浄する時間が減少して、頻繁に洗浄しなくてもよくなる。このため、さらに電極シートの耐用年数が延び、分解の効率も向上し、清掃時間及び使用する電力量も節約できる。
また、一般的には、直流モードにおいては、水が分解されて発生する陽電性を帯びる水素イオン及び陰電性を帯びる水酸化物イオンは気泡が大きく、交流モードにおいては、水が分解されて発生する陽電性を帯びる水素イオン及び陰電性を帯びる水酸化物イオンは気泡が小さい。大きな気泡は使用者が吸入或いは皮膚から吸収しやすく、小さな気泡は使用者が飲用した後、消化器官により容易に吸収される。
【図面の簡単な説明】
【０００９】
【図１】本考案の好ましい実施形態による水素機の交流電及び直流電の変換回路を示す回路図である。
【図２Ａ】本考案の水素機の交流電及び直流電の変換回路（第二モード切替スイッチを含む）を示す回路図である。
【図２Ｂ】本考案の水素機の交流電及び直流電の変換回路（第二モード切替スイッチを含む）を示す回路図である。
【図２Ｃ】本考案の水素機の交流電及び直流電の変換回路（第二モード切替スイッチを含む）を示す回路図である。
【図３Ａ】本考案の水素機の交流電及び直流電の変換回路（第一極性切替スイッチを含む）を示す回路図である。
【図３Ｂ】本考案の水素機の交流電及び直流電の変換回路（第一極性切替スイッチを含む）を示す回路図である。
【図４Ａ】本考案の水素機の交流電及び直流電の変換回路の第一極性切替スイッチの他の設置位置を示す回路図である。
【図４Ｂ】本考案の水素機の交流電及び直流電の変換回路の第一極性切替スイッチの他の設置位置を示す回路図である。
【図５】本考案の水素機の交流電及び直流電の変換回路（第一極性切替スイッチ及び第二極性切替スイッチを含む）を示す回路図である。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１１】
（第１実施形態）
図１は本考案の第１実施形態による水素機の交流電及び直流電の変換回路１を示す回路図である。水素機の交流電及び直流電の変換回路１は、ロジック制御ユニット１０と、第一電極シート１１と、第二電極シート１２と、第三電極シート１３と、直流回路１４と、交流回路１５とを備える。また、ロジック制御ユニット１０はモード切替制御信号Ｍ及び複数の交流電制御信号ＰＷＭ‐Ａ、ＰＷＭ‐Ｂ、ＰＷＭ‐Ｃ、ＰＷＭ‐Ｄを発生させる。
直流回路１４は第一電源供給ユニット１４０及び第一モード切替スイッチ１４１を含む。第一モード切替スイッチ１４１は第一電極シート１１及び第二電極シート１２に電気的に接続される。交流回路１５は第二電源供給ユニット１５０及び複数の入力端Ａ、Ｂ、Ｃ、Ｄを備える。複数の入力端Ａ、Ｂ、Ｃ、Ｄは複数の交流電制御信号ＰＷＭ‐Ａ、ＰＷＭ‐Ｂ、ＰＷＭ‐Ｃ、ＰＷＭ‐Ｄを個別に受信させる。第一電源供給ユニット１４０及び第二電源供給ユニット１５０は陽電端及び陰電端をそれぞれ備え、第三電極シート１３は第一電源供給ユニット１４の陽電端または陰電端に電気的に接続される。第一モード切替スイッチ１４１はモード切替制御信号Ｍ及び複数の交流電制御信号ＰＷＭ‐Ａ、ＰＷＭ‐Ｂ、ＰＷＭ‐Ｃ、ＰＷＭ‐Ｄに基づいて第一電源供給ユニット１４０或いは第二電源供給ユニット１５０の陽電端または陰電端に電気的に接続される（第一モード切替スイッチ１４１が第二電源供給ユニット１５０の陽電端または陰電端に電気的に接続される状況については、以下に詳述する）。
本実施形態において、第三電極シート１３は第一電源供給ユニット１４０の陰電端に電気的に接続され、第一電極シート１１及び第二電極シート１２は第一電源供給ユニット１４０の陽電端に電気的に接続され、第三電極シート１３が第一電極シート１１と第二電極シート１２との間に設置されると、第一電極シート１１、第三電極シート１３及び第二電極シート１２により陽、陰、陽の電極の極性の配列が形成される。
【００１２】
ある実施形態において、交流電制御信号はデューティ比（ｄｕｔｙ）を有するパルス幅変調（ｐｕｌｓｅ  ｗｉｄｔｈ  ｍｏｄｕｌａｔｉｏｎ；ＰＷＭ）信号を含み、ロジック制御ユニット１０の調整により異なる周波数のパルス幅変調が出力される。交流回路１５は、ロジック制御ユニット１０が発生させるパルス幅変調信号ＰＷＭ‐Ａ、ＰＷＭ‐Ｂ、ＰＷＭ‐Ｃ、ＰＷＭ‐Ｄをそれぞれ受信させるための４つの入力端Ａ、Ｂ、Ｃ、Ｄをそれぞれ有する４つのトランジスタＴＡ、ＴＢ、ＴＣ、ＴＤで構成されるフルブリッジ回路を備える。また、交流回路１５は、第一モード切替スイッチ１４１が電気的に接続される点となる左端点１５１及び右端点１５２を含む。
パルス幅変調信号ＰＷＭ‐Ａ、ＰＷＭ‐Ｂ、ＰＷＭ‐Ｃ、ＰＷＭ‐Ｄがフルブリッジ回路に入力されてフルブリッジ回路のトランジスタＴＡ、ＴＢ、ＴＣ、ＴＤがそれぞれ導通或いは非導通になり、第一モード切替スイッチ１４１が左端点１５１及び右端点１５２に電気的に接続されると、第一モード切替スイッチ１４１は第二電源供給ユニット１５０の陽電端または陰電端に電気的に接続される。
【００１３】
上述したように、直流回路１４においては、第一電極シート１１及び第二電極シート１２が第一モード切替スイッチ１４１に電気的に接続され、第一モード切替スイッチ１４１が第一電源供給ユニット１４０の陽電端または陰電端に電気的に接続されると共にロジック制御ユニット１０が発生させたモード切替制御信号Ｍを受信させた後には、フルブリッジ回路の左端点１５１及び右端点１５２に電気的に接続されるように改変される。これにより、本来直流回路１４の第一電源供給ユニット１４０が第一電極シート１１及び第二電極シート１２に提供する直流電力が交流回路１５の第二電源供給ユニット１５０が第一電極シート１１及び第二電極シート１２に提供する交流電力に変換される。
同様に、本来交流回路１５の第二電源供給ユニット１５０が第一電極シート１１及び第二電極シート１２に提供する交流電力も、ロジック制御ユニット１０が発生させるモード切替制御信号Ｍ及び複数の交流電制御信号ＰＷＭ‐Ａ、ＰＷＭ‐Ｂ、ＰＷＭ‐Ｃ、ＰＷＭ‐Ｄにより直流回路１４の第一電源供給ユニット１４０が第一電極シート１１及び第二電極シート１２に提供する直流電力に変換される。その作動及び原理は相似するため、再述は省く。
【００１４】
さらに、フルブリッジ回路に入力された交流電制御信号ＰＷＭ‐Ａ、ＰＷＭ‐Ｂ及びＰＷＭ‐Ｃ、ＰＷＭ‐Ｄはそれぞれ相補するパルス幅変調信号である。これにより、トランジスタＴＡ及びトランジスタＴＤが導通され、トランジスタＴＢ及びトランジスタＴＣが導通されない場合、フルブリッジ回路の左端点１５１及び右端点１５２にそれぞれ電気的に接続される第一電極シート１１及び第二電極シート１２が第二電源供給ユニット１５０の陽電端及び陰電端にそれぞれ電気的に接続され、第一電極シート１１、第三電極シート１３及び第二電極シート１２により陽、陰、陰の電極の極性の配列が形成される。
【００１５】
図２Ａ乃至図２Ｃは本考案の水素機の交流電及び直流電の変換回路（第二モード切替スイッチを含む）を示す回路図である。第二モード切替スイッチ１４２は第三電極シート１３と第一電源供給ユニット１４０との間に電気的に接続され、且つモード切替制御信号Ｍ及び複数の交流電制御信号ＰＷＭ‐Ａ、ＰＷＭ‐Ｂ、ＰＷＭ‐Ｃ、ＰＷＭ‐Ｄに基づいて第一電源供給ユニット１４０或いは第二電源供給ユニット１５０の陽電端または陰電端に電気的に接続される。
【００１６】
第二モード切替スイッチ１４２が第一電源供給ユニット１４０の陽電端に電気的に接続され、第一電極シート１１及び第二電極シート１２が第一電源供給ユニット１４０の陰電端に電気的に接続されると、第一電極シート１１、第三電極シート１３及び第二電極シート１２により陰、陽、陰の電極の極性の配列が形成される（図２Ａ参照）。
【００１７】
なお、図２Ｂに示すように、第二モード切替スイッチ１４２が第一電源供給ユニット１４０の陰電端に電気的に接続され、第一電極シート１１及び第二電極シート１２が第一電源供給ユニット１４０の陽電端に電気的に接続されると、第一電極シート１１、第三電極シート１３及び第二電極シート１２により陽、陰、陽の電極の極性の配列が形成される。
また、上述のように、ロジック制御ユニット１０がモード切替制御信号Ｍ及び複数の交流電制御信号ＰＷＭ‐Ａ、ＰＷＭ‐Ｂ、ＰＷＭ‐Ｃ、ＰＷＭ‐Ｄを第一モード切替スイッチ１４１、第二モード切替スイッチ１４２及び交流回路１５に対して発生させると、第三電極シート１３が第二電源供給ユニット１５０の陽電端に電気的に接続され、第一電極シート１１及び第二電極シート１２がフルブリッジ回路のトランジスタＴＡ、ＴＢ、ＴＣ、ＴＤの導通の有無に基づいて第二電源供給ユニット１５０の陽電端及び陰電端にそれぞれ電気的に接続される。これにより、第一電極シート１１、第三電極シート１３及び第二電極シート１２により陰、陽、陽或いは陽、陽、陰の電極の極性の配列が形成される。
【００１８】
さらに、図２Ｃに示すように、第二モード切替スイッチ１４２が第一電源供給ユニット１４０の陽電端に電気的に接続され、第一電極シート１１及び第二電極シート１２が第一電源供給ユニット１４０の陰電端に電気的に接続されると、第一電極シート１１、第三電極シート１３及び第二電極シート１２により陰、陽、陰の電極の極性の配列が形成される。
同様に、ロジック制御ユニット１０がモード切替制御信号Ｍ及び複数の交流電制御信号ＰＷＭ‐Ａ、ＰＷＭ‐Ｂ、ＰＷＭ‐Ｃ、ＰＷＭ‐Ｄを第一モード切替スイッチ１４１、第二モード切替スイッチ１４２及び交流回路１５に対して発生させると、第三電極シート１３が第二電源供給ユニット１５０の陽電端に電気的に接続され、第一電極シート１１及び第二電極シート１２がフルブリッジ回路のトランジスタＴＡ、ＴＢ、ＴＣ、ＴＤの導通の有無に基づいて第二電源供給ユニット１５０の陽電端及び陰電端にそれぞれ電気的に接続される。これにより、第一電極シート１１、第三電極シート１３及び第二電極シート１２により陰、陽、陽或いは陽、陽、陰の電極の極性の配列が形成される。
【００１９】
図３Ａ及び図３Ｂは本考案の水素機の交流電及び直流電の変換回路（第一極性切替スイッチを含む）を示す回路図である。ある実施形態において、上述の交流及び直流のモード切替以外に、電極シートの極性切替モードを更に含む。
電極シートの極性切替モードは同様に、ロジック制御ユニット１０が発生させる極性切替制御信号により切替動作の制御を行い、電極シートが電気的に接続される極性が更に改変される。
【００２０】
上述したように、第一極性切替スイッチ１４３は第一電源供給ユニット１４０、第一モード切替スイッチ１４１及び第二モード切替スイッチ１４２の間に設置される。
第一モード切替スイッチ１４１及び第二モード切替スイッチ１４２はモード切替制御信号Ｍ及び複数の交流電制御信号ＰＷＭ‐Ａ、ＰＷＭ‐Ｂ、ＰＷＭ‐Ｃ、ＰＷＭ‐Ｄに基づいて第一極性切替スイッチ１４３に電気的に接続されるか、或いは第二電源供給ユニット１５０の陽電端または陰電端に電気的に接続される。第一極性切替スイッチ１４３はロジック制御ユニット１０が発生させる第一極性切替制御信号Ｐ１に基づいて第一電源供給ユニット１４０の陽電端または陰電端に電気的に接続される。
【００２１】
図３Ａに示すように、第一極性切替スイッチ１４３が第一電源供給ユニット１４０の陽電端及び陰電端にそれぞれ電気的に接続されると、第一モード切替スイッチ１４１及び第二モード切替スイッチ１４２が第一極性切替スイッチ１４３の第一電極シート１１、第三電極シート１３及び第二電極シート１２に電気的に接続されることで陽、陰、陽の電極の極性の配列がそれぞれ形成される。電極シートの極性切替モードでは、第一電極シート１１、第三電極シート１３及び第二電極シート１２により陰、陽、陰の電極の極性の配列が形成される。
【００２２】
なお、図３Ｂに示すように、第一極性切替スイッチ１４３が第一電源供給ユニット１４０の陽電端及び陰電端にそれぞれ電気的に接続されると、第一モード切替スイッチ１４１及び第二モード切替スイッチ１４２が第一極性切替スイッチ１４３の第一電極シート１１、第三電極シート１３及び第二電極シート１２に電気的に接続されることで陽、陰、陽の電極の極性の配列がそれぞれ形成される。電極シートの極性切替モードでは、第一電極シート１１、第三電極シート１３及び第二電極シート１２により陰、陽、陰の電極の極性の配列が形成される。
【００２３】
図４Ａ及び図４Ｂは本考案の水素機の交流電及び直流電の変換回路の第一極性切替スイッチの他の設置位置を示す回路図である。
上述の図３Ａ及び図３Ｂでは、第一極性切替スイッチ１４３が第一電源供給ユニット１４０、第一モード切替スイッチ１４１及び第二モード切替スイッチ１４２の間に設置され、図４Ａ及び図４Ｂの実施形態では、第一極性切替スイッチ１４３が第二電源供給ユニット１５０と第二モード切替スイッチ１４２との間に設置される。
同様に、第二モード切替スイッチ１４２はモード切替制御信号Ｍ及び複数の交流電制御信号ＰＷＭ‐Ａ、ＰＷＭ‐Ｂ、ＰＷＭ‐Ｃ、ＰＷＭ‐Ｄに基づいて第一電源供給ユニット１４０の陽電端または陰電端に電気的に接続されるか、或いは第一極性切替スイッチ１４３に電気的に接続される。第一極性切替スイッチ１４３はロジック制御ユニット１０が発生させる第一極性切替制御信号Ｐ１に基づいて第二電源供給ユニット１５０の陽電端または陰電端に電気的に接続される。原理は上述と同様であるため、再述はしない。
【００２４】
図５は本考案の水素機の交流電及び直流電の変換回路（第一極性切替スイッチ及び第二極性切替スイッチを含む）を示す回路図である。
図３Ａ及び図３Ｂでは、第一極性切替スイッチ１４３が第一電源供給ユニット１４０、第一モード切替スイッチ１４１及び第二モード切替スイッチ１４２の間に設置され、図４Ａ及び図４Ｂの実施形態では、第一極性切替スイッチ１４３が第二電源供給ユニット１５０と第二モード切替スイッチ１４２との間に設置されるのに比べ、図５の実施形態では、上述の位置に２つの第一極性切替スイッチがそれぞれ設置される。このため、わかりやすく説明すると、図４Ａ及び図４Ｂの実施形態の第一極性切替スイッチは図５では第二極性切替スイッチ１４４と呼ばれ、直流回路は第一極性切替スイッチ１４３及び第二極性切替スイッチ１４４を更に備える。
【００２５】
図５では、第一極性切替スイッチ１４３は第一電源供給ユニット１４０、第一モード切替スイッチ１４１及び第二モード切替スイッチ１４２の間に設置され、第二極性切替スイッチ１４４は第二電源供給ユニット１５０と第二モード切替スイッチ１４２との間に設置される。
第一モード切替スイッチ１４１はモード切替制御信号Ｍ及び複数の交流電制御信号ＰＷＭ‐Ａ、ＰＷＭ‐Ｂ、ＰＷＭ‐Ｃ、ＰＷＭ‐Ｄに基づいて第一極性切替スイッチ１４３に電気的に接続されるか、或いは第二電源供給ユニット１５０の陽電端または陰電端に電気的に接続される。第一極性切替スイッチ１４３はロジック制御ユニット１０が発生させる第一極性切替制御信号Ｐ１に基づいて第一電源供給ユニット１４０の陽電端または陰電端に電気的に接続される。第二モード切替スイッチ１４２はモード切替制御信号Ｍ及び複数の交流電制御信号ＰＷＭ‐Ａ、ＰＷＭ‐Ｂ、ＰＷＭ‐Ｃ、ＰＷＭ‐Ｄに基づいて第一極性切替スイッチ１４３或いは第二極性切替スイッチ１４４に電気的に接続され、第二極性切替スイッチ１４４はロジック制御ユニットが発生させる第二極性切替制御信号Ｐ２に基づいて第二電源供給ユニット１５０の陽電端または陰電端に電気的に接続される。第一極性切替スイッチ１４３及び第二極性切替スイッチ１４４は別々または同時に作動される。作動原理は上述と同じであり、再述はしない。
【００２６】
本考案の水素機の交流電及び直流電の変換回路は、直流電及び交流電の変換モード及び電極の極性切替モードを含み、使用者は需要に応じて２種類のモードを別々に操作するか、交互に運用できる。このため、本考案は電極シートが発生させる鉱物質及び垢の成長が鈍化し、使用者が電極シートを洗浄する時間が減少して頻繁に洗浄する必要がなくなる。このため、電極シートの耐用年数が更に延び、分解の効率も向上し、清掃時間及び電力使用量も減る。
また、一般的には、直流モードにおいては、水の分解により発生する陽電性を帯びる水素イオン及び陰電性を帯びる水酸化物イオンは気泡が大きく、交流モードにおいては、水の分解により発生する陽電性を帯びる水素イオン及び陰電性を帯びる水酸化物イオンは気泡が小さい。大きな気泡は使用者が吸入或いは皮膚から吸収しやすく、小さな気泡は使用者が飲用した後に、消化器官により容易に吸収される。なお、交流電制御信号に使用されるパルス幅変調信号のデューティ比の大きさが、気泡の大きさに影響を与える。
【００２７】
以上、本考案の実施形態について図面を参照して詳述したが、具体的な構成はこの実施形態に限られるものではなく、本考案の要旨を逸脱しない範囲の設計変更等も含まれる。
【符号の説明】
【００２８】
１  水素機の交流電及び直流電の変換回路
１０  ロジック制御ユニット
１１  第一電極シート
１２  第二電極シート
１３  第三電極シート
１４  直流回路
１４０  第一電源供給ユニット
１４１  第一モード切替スイッチ
１４２  第二モード切替スイッチ
１４３  第一極性切替スイッチ
１４４  第二極性切替スイッチ
１５  交流回路
１５０  第二電源供給ユニット
１５１  左端点
１５２  右端点
Ｍ  モード切替制御信号
ＰＷＭ−Ａ、ＰＷＭ−Ｂ、ＰＷＭ−Ｃ、ＰＷＭ−Ｄ交流電制御信号
Ａ、Ｂ、Ｃ、Ｄ      入力端
ＴＡ、ＴＢ、ＴＣ、ＴＤ  トランジスタ
Ｐ１  第一極性切替制御信号
Ｐ２  第二極性切替制御信号
【図１】
0003205898.tif 000003
【図２Ａ】
0003205898.tif 000004
【図２Ｂ】
0003205898.tif 000005
【図２Ｃ】
0003205898.tif 000006
【図３Ａ】
0003205898.tif 000007
【図３Ｂ】
0003205898.tif 000008
【図４Ａ】
0003205898.tif 000009
【図４Ｂ】
0003205898.tif 000010
【図５】
0003205898.tif 000011